【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
画像及び音声を記録・再生可能な撮像装置であって、
音声を処理する音声処理手段と、
前記音声処理手段に処理を指示するための、音声ファイルと、該音声ファイルに対する操作とを選択するためのグラフィカルユーザインタフェースを表示制御する表示制御手段と、
前記グラフィカルユーザインタフェースに表示された前記音声ファイルのいずれかを選択する機能を割り当てられた第１の操作部材と、
前記グラフィカルユーザインタフェースに表示された、前記音声ファイルに対する操作のいずれかを選択する機能を割り当てられた第２の操作部材と、
前記第２の操作部材が選択した操作が予め設定された所定の操作である場合に、前記第１の操作部材に前記音声ファイルを選択する以外の機能を割り当てる再割り当て手段とを有し、
前記音声処理手段は、前記第１及び第２の操作部材によって選択された音声処理を実行することを特徴とする撮像装置。
【請求項２】
前記音声ファイルに対する操作は、再生、再生の停止、録音、録音の停止、早送り、巻き戻し、消去、プロテクト、音量の変更を含むことを特徴とする請求項１に記載の撮像装置。
【請求項３】
前記所定の操作は音量を変更する操作であって、前記第２の操作部材により当該操作が選択された場合に、前記再割り当て手段は、前記第１の操作部材に音量を上下する機能を割り当てることを特徴とする請求項１または２に記載の撮像装置。
【請求項４】
前記第２の操作部材により前記音声ファイルに対する操作として録音が選択された場合に、前記再割り当て手段は、前記第１の操作部材の操作を無効にすることを特徴とする請求項１乃至３のいずれか１項に記載の撮像装置。
【請求項５】
上下ボタン及び左右ボタンを、前記第１の操作部材及び前記第２の操作部材として用いることを特徴とする請求項１乃至４のいずれか１項に記載の撮像装置。
【請求項６】
前記音声の処理を指示するための操作開始を指示するための第３の操作部材と、
前記第３の操作部材が操作された場合に、音声ファイルがすでに存在するかどうかを判断する判断手段とを更に有し、
前記判断手段により音声ファイルが存在しないと判断された場合に、前記音声ファイルに対する操作として録音が自動的に選択され、前記再割り当て手段は、前記第１の操作部材の操作を無効にすることを特徴とする請求項１乃至５のいずれか１項に記載の撮像装置。
【請求項７】
前記第２の操作部材により前記音声ファイルに対する操作として録音が選択された場合に、前記表示制御手段は、新しく作成される音声ファイルを選択状態とするグラフィカルユーザインタフェースを表示することを特徴とする請求項１乃至６のいずれか１項に記載の撮像装置。
【請求項８】
画像及び音声を記録・再生可能であると共に、音声を処理可能であって、音声処理を指示するための、音声ファイルと、該音声ファイルに対する操作とを選択するためのグラフィカルユーザインタフェースを表示制御する表示制御手段と、第１及び第２の操作部材とを有する撮像装置における操作制御方法であって、
前記第１の操作部材に前記グラフィカルユーザインタフェースに表示された前記音声ファイルのいずれかを選択する機能を割り当てる第１割り当て工程と、
前記第２の操作部材に前記グラフィカルユーザインタフェースに表示された、前記音声ファイルに対する操作のいずれかを選択する機能を割り当てる第２割り当て工程と、
前記第２の操作部材により選択された操作が予め設定された所定の操作であるかどうかを判断する第１の判断工程と、
前記第２の操作部材により選択された操作が予め設定された所定の操作であると判断された場合に、前記第１の操作部材に前記音声ファイルを選択する以外の機能を割り当てる再割り当て工程とを有し、
前記撮像装置は、前記第１及び第２の操作部材によって選択された音声処理を実行することを特徴とする操作制御方法。
【請求項９】
前記音声ファイルに対する操作は、再生、再生の停止、録音、録音の停止、早送り、巻き戻し、消去、プロテクト、音量の変更を含むことを特徴とする請求項８に記載の操作制御方法。
【請求項１０】
前記所定の操作は音量を変更する操作であって、前記第１の判断工程において前記第２の操作部材により該音量を変更する操作が選択されたと判断された場合に、前記再割り当て工程では、前記第１の操作部材に音量を上下する機能を割り当てることを特徴とする請求項８または９に記載の操作制御方法。
【請求項１１】
前記第２の操作部材により前記音声ファイルに対する操作として録音が選択された場合に、前記第１の操作部材の操作を無効にする工程を更に有することを特徴とする請求項８乃至１０のいずれか１項に記載の操作制御方法。
【請求項１２】
上下ボタン及び左右ボタンを、前記第１の操作部材及び前記第２の操作部材として用いることを特徴とする請求項８乃至１１のいずれか１項に記載の操作制御方法。
【請求項１３】
前記音声処理を指示するための操作開始が指示されたかどうかを判断する第２の判断工程と、
前記第２の判断工程において前記音声処理の操作開始が指示されたと判断された場合に、音声ファイルがすでに存在するかどうかを判断する第３の判断工程と、
前記第３の判断工程において音声ファイルが存在しないと判断された場合に、前記音声ファイルに対する操作として録音を自動的に選択し、前記第１の操作部材の操作を無効にする工程と
を更に有することを特徴とする請求項８乃至１２のいずれか１項に記載の操作制御方法。
【請求項１４】
前記第２の操作部材により前記音声ファイルに対する操作として録音が選択された場合に、新しく作成される音声ファイルを選択状態とするグラフィカルユーザインタフェースを表示する工程を更に有することを特徴とする請求項８乃至１３のいずれか１項に記載の操作制御方法。
【請求項１５】
情報処理装置に、請求項８乃至１４のいずれか１項に記載の操作制御方法の各工程を実行させるためのプログラム。
【請求項１６】
請求項１５に記載のプログラムを格納したことを特徴とする情報処理装置が読み取り可能な記憶媒体。
【手続補正２】
【補正対象書類名】明細書
【補正対象項目名】０００７
【補正方法】変更
【補正の内容】
【０００７】
画像及び音声を記録・再生可能な本発明の撮像装置は、音声を処理する音声処理手段と、前記音声処理手段に処理を指示するための、音声ファイルと、該音声ファイルに対する操作とを選択するためのグラフィカルユーザインタフェースを表示制御する表示制御手段と、前記グラフィカルユーザインタフェースに表示された前記音声ファイルのいずれかを選択する機能を割り当てられた第１の操作部材と、前記グラフィカルユーザインタフェースに表示された、前記音声ファイルに対する操作のいずれかを選択する機能を割り当てられた第２の操作部材と、前記第２の操作部材が選択した操作が予め設定された所定の操作である場合に、前記第１の操作部材に前記音声ファイルを選択する以外の機能を割り当てる再割り当て手段とを有し、前記音声処理手段は、前記第１及び第２の操作部材によって選択された音声処理を実行する。
【手続補正３】
【補正対象書類名】明細書
【補正対象項目名】０００８
【補正方法】変更
【補正の内容】
【０００８】
画像及び音声を記録・再生可能であると共に、音声を処理可能であって、音声処理を指示するための、音声ファイルと、該音声ファイルに対する操作とを選択するためのグラフィカルユーザインタフェースを表示制御する表示制御手段と、第１及び第２の操作部材とを有する撮像装置における本発明の操作制御方法は、前記第１の操作部材に前記グラフィカルユーザインタフェースに表示された前記音声ファイルのいずれかを選択する機能を割り当てる工程と、前記第２の操作部材に前記グラフィカルユーザインタフェースに表示された、前記音声ファイルに対する操作のいずれかを選択する機能を割り当てる工程と、前記第２の操作部材により選択された操作が予め設定された所定の操作であるかどうかを判断する工程と、前記第２の操作部材により選択された操作が予め設定された所定の操作であると判断された場合に、前記第１の操作部材に前記音声ファイルを選択する以外の機能を再割り当てする工程とを有し、前記撮像装置は、前記第１及び第２の操作部材によって選択された音声処理を実行する。